(57)【要約】【課題】床などに落ちた遊技用メダル、パチンコ玉、硬貨などを効率良く拾集することのできる装置を提供する。【解決手段】拾集口部１０と、キャスター３２を備えた電気機械部３０の減圧部３１とをホース２０を介して接続し、ホース２０の上流側の直線状ホース２１に添設した拾集物貯留容器２３の内部の拾集物貯留部２４と直線状ホース２１の内部とを取込開口２５を介して連通し、且つ、通気孔２６が開設された分離板２７を直線状ホース２１に傾斜して内装し、減圧部３１を所要の圧力に減圧することで、拾集口部１０から吸い込まれて直線状ホース２１を介して吸い上げられるメダル５０が、分離板２７に衝突してその進路を取込開口２５の方向に変更し、拾集物貯留部２４に導入されるように構成した。【選択図】      図１
2004305550.tif 000002
【特許請求の範囲】
【請求項１】
一端に拾集口部を備えて他端が減圧部に接続された管部を備えて構成されるコインなどの拾集装置であって、通気孔を有する分離板が管部の途中に傾斜して内装され、分離板の拾集口部側の面に臨む部位の管部にコインなどの取込開口が開設され、そのコインなどの取込開口に連通する拾集物貯留部が設けられたことを特徴とするコインなどの拾集装置。
【請求項２】
管部の分離板とのなす角度が鋭角となる部分にコインなどの取込開口が設けられたことを特徴とする請求項１記載のコインなどの拾集装置。
【請求項３】
コインなどの取込開口と拾集物貯留部とが第２の管部により接続され、拾集物貯留部にキャスターが設けられたことを特徴とする請求項１または２記載のコインなどの拾集装置。
【請求項４】
拾集物貯留部と減圧部とが同一構造物内に設けられたことを特徴とする請求項３記載のコインなどの拾集装置。
【発明の詳細な説明】
【０００１】
【発明の属する技術分野】
この発明は、床などに落ちた遊技用メダル、パチンコ玉、硬貨などを効率良く拾集するための装置に関する。
【０００２】
【従来の技術】
この種の装置はこれまで提案されたことがない。そのため、遊技ホールなどでは、遊技媒体として使用するメダルやパチンコ玉が床や遊技媒体搬送装置内に落ちたときには、人が手で拾っているので、多量に拾う必要が生じたときには作業効率が悪いだけでなく、重労働にもなり好ましくなかった。
【０００３】
【発明が解決しようとする課題】
したがって、床などに落ちた遊技用メダル、パチンコ玉、硬貨などを効率良く拾集することのできる装置を提供する必要があり、それが課題となっていた。
【０００４】
【課題を解決するための手段】
本発明は、上記従来技術の課題を解決するため、一端に拾集口部を備えて他端が減圧部に接続された管部を備えて構成されるコインなどの拾集装置において、通気孔を有する分離板を管部の途中に傾斜して内装し、分離板の拾集口部側の面に臨む部位の管部にコインなどの取込開口を開設し、そのコインなどの取込開口に連通する拾集物貯留部を設けるようにした第１の構成のコインなどの拾集装置と、
【０００５】
前記第１の構成のコインなどの拾集装置において、管部の分離板とのなす角度が鋭角となる部分にコインなどの取込開口を設けるようにした第２の構成のコインなどの拾集装置と、
【０００６】
前記第１または第２の構成のコインなどの拾集装置において、コインなどの取込開口と拾集物貯留部とを第２の管部により接続し、拾集物貯留部にキャスターを設けるようにした第３の構成のコインなどの拾集装置と、
【０００７】
前記第３の構成のコインなどの拾集装置において、拾集物貯留部と減圧部とを同一構造物内に設けるようにした第４の構成のコインなどの拾集装置と、
を提供するものである。
【０００８】
【発明の実施の形態】
以下、本発明を、スロットマシンにおいて遊技媒体として使用されるメダルを拾集するメダル拾集装置を例に挙げて詳細に説明する。
【０００９】
本発明のメダル拾集装置１００においては、図１に示したように床上などに落ちているメダル５０を拾集するための拾集口部１０が、ホース２０を介して電気機械部３０の減圧部３１に接続されている。
【００１０】
ホース２０は、内径が例えば２５〜３５ｍｍ程度の硬質パイプからなる直線状ホース２１とフレキシブルな蛇腹状ホース２２とからなり、直線状ホース２１の先端に適宜の形状、例えば直径２６〜４０ｍｍ程度の円形に形成された拾集口部１０が取着されている。
【００１１】
電気機械部３０は、キャスター３２を備えて走行自在に構成されており、電気掃除機などと同様に図示しない電動ファンなどにより排気して大気圧以下の所要の低圧が生成される減圧部３１に、蛇腹状ホース２２の根元側が接続されている（減圧部３１の低圧は吸込仕事率２００Ｗ程度の装置を用いて達成可能）。
【００１２】
直線状ホース２１には拾集物貯留容器２３が添設されている。拾集物貯留容器２３の内部に形成された拾集物貯留部２４と直線状ホース２１の内部とは、直線状ホース２１に半周に渡って開設された取込開口２５を介して連通されている。
【００１３】
そして、直線状ホース２１の内部には、例えば図３に示したように通気孔２６が開設された分離板２７が、図示したように傾斜して内装され、拾集口部１０から吸い上げられているメダル５０が分離板２７に当たって進路を取込開口２５の方向に変更し、拾集物貯留容器２３の拾集物貯留部２４に導入されるように構成されている。
【００１４】
また、拾集物貯留部２４の底部は、回動可能に取着された底蓋２８により開閉可能に設けられている。なお、底蓋２８は拾集物貯留部２４の底部を封止した状態で、回動可能に取着された止め具２９などを用いて回動不能に係止できるように構成されている。
【００１５】
したがって、上記構成になる本発明のメダル拾集装置１００においては、図示しないスイッチを操作して電気機械部３０の減圧部３１を所定の低圧に維持しながら、床などに落ちたメダル５０に拾集口部１０を近づけると、メダル５０は空気と共に拾集口部１０から吸い込まれ、直線状ホース２１内を吸い上げられる。
【００１６】
そして、直線状ホース２１には通気孔２６を備えた分離板２７が内装されているので、通気孔２６より小さい塵などは空気共に通気孔２６を抜け、蛇腹状ホース２２を経由して電気機械部３０の減圧部３１に至り排気されるが、通気孔２６より大きいメダル５０は分離板２７により進路が取込開口２５の方向に変更されて拾集物貯留部２４に導入され、自重により拾集物貯留部２４の底に溜まる。
【００１７】
そして、拾集物貯留部２４に溜まったメダル５０は、底蓋２８を回動することにより開放される底部から取り出すことが可能であり、電気機械部３０にはキャスター３２が取着されて走行自在となっているので、床などにメダル５０が多数散らばっていても、掃除機による掃除の要領で簡単に拾集することができる。
【００１８】
なお、拾集物貯留部２４は、例えば図４に示したように蛇腹状ホース２２Ａと取込開口２５とを介して、分離板２７より拾集口部１０側の直線状ホース２１内に連通するように構成することもできる。このように構成する場合は、拾集物貯留部２４を形成する拾集物貯留容器２３にもキャスター３２を取着し、電気機械部３０と拾集物貯留容器２３とが床上などを自在に走行できるようにする。
【００１９】
メダル拾集装置１００を図４に示したように構成したときには、図１に示したメダル拾集装置１００に比べて、▲１▼拾集物貯留部２４に貯留できるメダル５０の量が増加する、▲２▼拾集物貯留部２４に多量のメダル５０を貯留してもホース２０の操作性は変らない、▲３▼拾集物貯留部２４に溜まったメダル５０を取り出す所要回数が減少する、などと云った利点がある。
【００２０】
また、拾集物貯留部２４は図５に示したように電気機械部３０に設け、蛇腹状ホース２２と蛇腹状ホース２２Ａとを一体に設けることも可能である。メダル拾集装置１００を、図５に示したように構成したときには、床上などを走行させる部材が一つになるので、図４に示した構成のメダル拾集装置１００よりさらに操作性が良好となる。
【００２１】
なお、本発明は上記実施形態に限定されるものではないので、特許請求の範囲に記載の趣旨から逸脱しない範囲で各種の変形実施が可能である。
【００２２】
例えば、直線状ホース２１と蛇腹状ホース２２とは、挿し込み方式などにより接続／分離が自在に行える構成とし、図１に示した直線状ホース２１と、図４に示した直線状ホース２１とが交換して使用可能にすること可能である。
【００２３】
また、分離板２７は拾集物貯留容器２３の側に固定されて、直線状ホース２１の内部に設置されても良い。その際、分離板２７は直線状ホース２１には固定されず、換言すれば分離板２７はその外周の一部は何れの部材にも固定されず、したがって分離板２７は吸い上げられてきたメダル５０が衝突する度に、固定されていない側が大きな振幅で振動し、分離板２７に吸い付けられて進路変更されないメダル５０が出現するのを防止することも可能である。
【００２４】
また、電気機械部３０の減圧部３１には塵などを捕集するためのフィルタを設けたり、サイクロン方式による塵などの捕集機構を設けることも可能である。このような塵などの捕集機構を設けることにより、メダル５０の拾集時に拾集口部１０から吸い込まれた塵が電気機械部３０の減圧部３１から放出されることがなくなるので、メダル５０の拾集作業が衛生的な環境下で行えるようになる。
【００２５】
また、メダル拾集装置１００を、パチンコ玉を拾集する装置とするときには、拾集口部１０はパチンコ玉の吸い上げが可能に直径１２〜１５ｍｍ程度にすると共に、直線状ホース２１の内径も１２〜１５ｍｍ程度にする。
【００２６】
【発明の効果】
上記したように、本発明装置によれば床上などに落ちた遊技用メダル、パチンコ玉、硬貨などを効率良く拾集することができる。
【図面の簡単な説明】
【図１】本発明の一実施形態を示す説明図である。
【図２】本発明の一実施形態の要部を示す説明図である。
【図３】分離板の説明図である。
【図４】本発明の他の実施形態を示す説明図である。
【図５】本発明のさらに他の実施形態を示す説明図である。
【符号の説明】
１０  拾集口部
２０  ホース
２１  直線状ホース
２２  蛇腹状ホース
２３  拾集物貯留容器
２４  拾集物貯留部
２５  取込開口
２６  通気孔
２７  分離板
２８  底蓋
２９  止め具
３０  電気機械部
３１  減圧部
３２  キャスター
５０  メダル
１００  メダル拾集装置
【図１】
2004305550.tif 000003
【図２】
2004305550.tif 000004
【図３】
2004305550.tif 000005
【図４】
2004305550.tif 000006
【図５】
2004305550.tif 000007